(57)【要約】      （修正有）【課題】本来記録されるべき情報を正しく再生できるようにする。【解決手段】光情報再生装置は、光情報記録媒体からの反射光ビームを基に得られた検出信号Ｓを、信号処理部の変動検出部により第１信号レベルＶ１及び第２信号レベルＶ２と対比して第１検出信号ＳＶ１及び第２検出信号ＳＶ２を生成する。また信号処理部は、符号列生成部により、第１検出信号ＳＶ１及び第２検出信号ＳＶ２をそれぞれ第１符号列ＣＶ１及び第２符号列ＣＶ２に変換すると共に、第２符号列ＣＶ２が値「１」となる場合には第１符号列ＣＶ１における近傍の符号列ＣＢを置換符号列ＣＲに置き換えて符号列Ｃとする。従って光情報再生装置は、光情報記録媒体に融合記録マークが形成されていたとしても、本来記録されるべき２つの記録マークに相当する符号列Ｃを生成することができる。【選択図】図１０
2011003245.tif 000002
【特許請求の範囲】
【請求項１】
符号化された情報に応じ、記録媒質中の仮想的なトラックに沿って空孔が形成された光情報記録媒体に対し、上記仮想的なトラックに沿って光ビームを照射する照射部と、
上記光ビームが上記光情報記録媒体により反射されてなる反射光ビームを受光し、その光強度に応じた受光信号を順次生成する受光部と、
上記受光信号の信号レベルが上記空孔に応じて変動したときに現れる変動パターンを検出する検出部と、
上記受光信号の信号レベルに応じて符号列を生成する際、上記変動パターンが所定範囲内に収まる場合には、当該変動パターンから１個の上記空孔に応じた符号を生成し、上記変動パターンが上記所定範囲を超える場合には、当該変動パターンから複数個の符号を含む所定符号列を生成する符号列生成部と
を有する光情報再生装置。
【請求項２】
上記検出部は、
上記変動パターンにおいて基準信号レベルからの変動幅が最も大きいピークレベルが所定の第１信号レベルを超えたか否か、及び当該ピークレベルが当該第１信号レベルを超えた所定の第２信号レベルを超えたか否かをそれぞれ検出し、
上記符号列生成部は、
上記ピークレベルが上記第１信号レベルを超え上記第２信号レベルを超えない場合には、上記変動パターンから１個の上記空孔に応じた符号を生成し、上記ピークレベルが上記第２信号レベルを超える場合には、上記変動パターンから上記所定符号列を生成する
請求項１に記載の光情報再生装置。
【請求項３】
上記検出部は、
上記検出信号が上記第１信号レベルを超えたか否かに応じてハイレベル又はローレベルに切り替わる第１検出信号と、上記検出信号が上記第２信号レベルを超えたか否かに応じてハイレベル又はローレベルに切り替わる第２検出信号とを生成し、
上記符号列生成部は、
上記第１検出信号及び上記第２検出信号をそれぞれ符号化して第１符号列及び第２符号列を生成し、当該第１符号列及び当該第２符号列に出現する符号パターンを基に、上記１個の上記空孔に応じた符号又は上記所定符号列を生成する
請求項２に記載の光情報再生装置。
【請求項４】
上記光情報記録媒体は、
上記情報が最大符号長をｎ（ただしｎは２以上の自然数）とする２値符号化されてマーク長記録され、
上記検出部は、
上記ピークレベルが上記第１信号レベルを超えたか否かを検出すると共に、（２≦ｋ≦ｎ）を満たす全ての自然数ｋについて、当該ピークレベルが所定の第（ｋ−１）信号レベルを超えた所定の第ｋ信号レベルを超えたか否かをそれぞれ検出し、
上記符号列生成部は、
上記ピークレベルが上記第１信号レベルを超え上記第２信号レベルを超えない場合には、上記変動パターンから１個の上記空孔に応じた符号を生成し、（３≦ｋ≦ｎ）を満たす自然数ｋについて、上記ピークレベルが上記第（ｋ−１）信号レベルを超え上記第ｋ信号レベルを超えない場合には、上記変動パターンから上記第（ｋ−１）信号レベルに応じた所定符号列を生成し、上記ピークレベルが上記第ｎ信号レベルを超える場合には、上記変動パターンから上記第ｎ信号レベルに応じた所定符号列を生成する
請求項２に記載の光情報再生装置。
【請求項５】
上記光情報記録媒体は、
上記情報が最小ランを１とした２値符号化されてマークポジション記録され、
上記符号列生成部は、
上記変動パターンが所定範囲内に収まる場合には、当該変動パターンから１個の反転符号を生成し、上記変動パターンが上記所定範囲を超える場合には、当該変動パターンから、反転符号、非反転符号及び反転符号でなる連続符号列を含む上記所定符号列を生成する
請求項１に記載の光情報再生装置。
【請求項６】
上記検出部は、
上記変動パターンにおいて基準信号レベルからの変動幅が最も大きいピークレベルが所定の第１信号レベルを超えたか否か、及び上記変動パターンが当該第１信号レベルを超えている超越期間が所定の第１期間よりも長いか否かをそれぞれ検出し、
上記符号列生成部は、
上記ピークレベルが上記第１信号レベルを超え上記超越期間が上記第１期間よりも短い場合には、上記変動パターンから１個の上記空孔に応じた符号を生成し、上記ピークレベルが上記第１信号レベルを超え上記超越期間が上記第１期間よりも長い場合には、上記変動パターンから上記所定符号列を生成する
請求項１に記載の光情報再生装置。
【請求項７】
上記光情報記録媒体は、
上記情報が最大符号長をｎ（ただしｎは２以上の自然数）とする２値符号化されてマーク長記録され、
上記検出部は、
上記ピークレベルが上記第１信号レベルを超えたか否かを検出すると共に、上記超越期間が所定の第１期間よりも長いか否か、及び（２≦ｋ≦ｎ）を満たす全ての自然数ｋについて、上記超越期間が第（ｋ−１）期間よりも長い所定の第ｋ期間よりも長いか否かをそれぞれ検出し、
上記符号列生成部は、
上記ピークレベルが上記第１信号レベルを超え上記超越期間が上記第１期間よりも短い場合には、上記変動パターンから１個の上記空孔に応じた符号を生成し、ｋを（２≦ｋ≦ｎ）を満たす任意の自然数とするとき、上記ピークレベルが上記第１信号レベルを超え上記超越期間が上記第（ｋ−１）期間よりも長く上記第ｋ期間よりも短い場合には、上記変動パターンから上記第（ｋ−１）期間に応じた所定符号列を生成し、上記ピークレベルが上記第１信号レベルを超え上記超越期間が上記第ｎ期間よりも長い場合には、上記変動パターンから上記第ｎ期間に応じた所定符号列を生成する
請求項６に記載の光情報再生装置。
【請求項８】
符号化された情報に応じ、記録媒質中の仮想的なトラックに沿って空孔が形成された光情報記録媒体に対し、上記仮想的なトラックに沿って光ビームを照射し、当該光ビームが当該光情報記録媒体により反射されてなる反射光ビームを受光し、その光強度に応じた受光信号を順次生成する受光ステップと、
上記受光信号の信号レベルが上記空孔に応じて変動したときに現れる変動パターンを検出する検出ステップと、
上記受光信号の信号レベルに応じて符号列を生成する際、上記変動パターンが所定範囲内に収まる場合には、当該変動パターンから１個の上記空孔に応じた符号を生成し、上記変動パターンが上記所定範囲を超える場合には、当該変動パターンから複数個の符号を含む所定符号列を生成する符号列生成ステップと
を有する光情報再生方法。
【発明の詳細な説明】
【技術分野】
【０００１】
本発明は光情報再生装置及び光情報再生方法に関し、例えば光ディスク等の光情報記録媒体から情報を再生する光情報再生装置に適用して好適なものである。
【背景技術】
【０００２】
従来、光情報再生装置においては、ＢＤ（Blu-ray Disc、登録商標）等の光ディスク等でなる光情報記録媒体に光ビームを照射し、その反射光を読み取ることにより、当該光情報記録媒体に記録されている情報を再生するものが広く普及している。
【０００３】
また近年では、光情報記録媒体における記憶容量の増加が求められている。これに応じて光情報記録媒体及び光情報再生装置では、光ビームを短波長化してビームスポットを微小化することにより光情報記録媒体に形成する記録マークを高密度化する手法や、記録層を多層化する手法などが用いられている。
【０００４】
さらには、例えば２光子吸収反応等を利用して光ディスク等の記録媒体中に空孔でなる記録マークを形成して情報を記録し、この気泡に光ビームを照射しその反射光を読み取って当該情報を再生する手法も提案されている（例えば、特許文献１参照）。
【０００５】
すなわち図１に示す光情報記録再生装置１は、情報を記録する場合、光情報記録媒体１００と光ピックアップ２との相対位置を変化させながら、記録すべき情報を符号化してなる符号列に応じて、比較的強い光ビームＬ１を照射する。
【０００６】
このとき光ピックアップ２は、レーザ３から光ビームＬ１を出射し、これをコリメータレンズ４により平行光に変換し、ビームスプリッタ５によりその一部を通過させて、対物レンズ６により光情報記録媒体１００内に集光する。
【０００７】
これにより光情報記録媒体１００には、例えば図２に示すように、気泡が生じ、空孔でなる記録マークＲＭが順次形成される。
【０００８】
また光情報記録再生装置１は、情報を再生する場合、記録時よりも弱い光ビームＬ１を光情報記録媒体１００に照射する。このとき光ビームＬ１が記録マークＲＭにより反射されることにより、反射光ビームＬ２が生成される。
【０００９】
光情報記録再生装置１は、反射光ビームＬ２を対物レンズ６により平行光に変換し、ビームスプリッタ５によりその一部を反射し、集光レンズ７により集光して、受光素子８により受光して受光信号Ｓを生成する。
【００１０】
その後光情報記録再生装置１は、図示しない信号処理部により受光信号Ｓを基に記録マークＲＭの有無や配列等を認識した上で所定の復調処理や復号化処理等を行い、情報を再生する。
【先行技術文献】
【特許文献】
【００１１】
【特許文献１】特開２００５−３７６５８公報（第９頁〜第１０頁）
【発明の概要】
【発明が解決しようとする課題】
【００１２】
ところで光情報記録媒体は、適切な位置に光ビームが集光され、その光や熱の作用により気泡が形成されて記録マークＲＭが形成されることにより、情報が正しく記録されたことになる。
【００１３】
ここで、比較的近接した箇所に複数の記録マークＲＭを連続して形成する場合を想定する。例えば、図３（Ａ）に示すような符号列「０１０１０」を光情報記録媒体１００に記録する場合、理想的な状態としては、図３（Ｂ）に示すように、符号「１」に対応する位置にそれぞれ気泡でなる記録マークＲＭが形成された状態となる。
【００１４】
しかしながら実際の光情報記録媒体１００では、１個目の気泡形成箇所が溶融されて気泡が形成され（図３（Ｃ））、流動性を有したまま２個目の気泡形成箇所における周辺部分が溶融されたとき（図３（Ｄ））、両者の溶融エリア同士が融合する場合がある（図３（Ｅ））。
【００１５】
この結果、光情報記録媒体１００では、溶融エリア内で気化エリア同士も融合し、表面張力等の作用により、当該溶融エリアの中央付近に比較的大きく真球に近い形状の気泡が１個のみ形成されてしまう（図３（Ｆ））。これは、光情報記録媒体１００に対し情報が正しく記録されていない状態ともいえる。
【００１６】
このような場合、光情報記録再生装置１は、図３（Ｆ）のような気泡が形成された光情報記録媒体１００から、本来の情報に応じた符号列「０１０１０」ではなく［００１００］や「０１１１０」のような誤った符号列を生成してしまう。
【００１７】
このため光情報記録再生装置１は、誤った符号列を基に誤った情報を再生することになってしまい、本来記録されるはずの情報を正しく再生できない、という問題があった。
【００１８】
本発明は以上の点を考慮してなされたもので、本来記録されるべき情報を正しく再生し得る光情報再生装置及び光情報再生方法を提案しようとするものである。
【課題を解決するための手段】
【００１９】
かかる課題を解決するため本発明においては、符号化された情報に応じ、記録媒質中の仮想的なトラックに沿って空孔が形成された光情報記録媒体に対し、仮想的なトラックに沿って光ビームを照射し、光ビームが光情報記録媒体により反射されてなる反射光ビームを受光して、その光強度に応じた受光信号を順次生成し、受光信号の信号レベルが空孔に応じて変動したときに現れる変動パターンを検出し、受光信号の信号レベルに応じて符号列を生成する際、変動パターンが所定範囲内に収まる場合には、当該変動パターンから１個の空孔に応じた符号を生成し、変動パターンが所定範囲を超える場合には、当該変動パターンから複数個の符号を含む所定符号列を生成するようにした。
【００２０】
これにより本発明は、本来独立して形成されるべき複数の空孔が融合し、受光信号に変動パターンが１個のみ現れる場合であっても、融合した空孔によるものとして当該変動パターンを判別でき、本来の複数個の空孔に応じた符号列を生成することができる。また本発明は、本来所定の長さに渡って形成されるべき空孔が短縮され、受光信号において変動パターンの変動期間が短くなっている場合であっても、短縮された空孔によるものとして当該変動パターンを判別でき、本来の空孔の長さに応じた符号列を生成することができる。
【発明の効果】
【００２１】
本発明によれば、本来独立して形成されるべき複数の空孔が融合し、受光信号に変動パターンが１個のみ現れる場合であっても、融合した空孔によるものとして当該変動パターンを判別でき、本来の複数個の空孔に応じた符号列を生成することができる。また本発明によれば、本来所定の長さに渡って形成されるべき空孔が短縮され、受光信号において変動パターンの変動期間が短くなっている場合であっても、短縮された空孔によるものとして当該変動パターンを判別でき、本来の空孔の長さに応じた符号列を生成することができる。かくして本発明は、本来記録されるべき情報を正しく再生し得る光情報再生装置及び光情報再生方法を実現できる。
【図面の簡単な説明】
【００２２】
【図１】光情報記録再生装置の構成を示す略線図である。
【図２】気泡の形成の説明に供する略線図である。
【図３】気泡による記録マークの形成の説明に供する略線図である。
【図４】光情報再生装置の全体構成を示す略線図である。
【図５】信号処理部の構成を示す略線図である。
【図６】２種類の記録方式の説明に供する略線図である。
【図７】記録マークの融合及び変形の説明に供する略線図である。
【図８】マーク長依存性の説明に供する略線図である。
【図９】第１の実施の形態における受光信号を示す略線図である。
【図１０】第１の実施の形態における符号列の生成を示す略線図である。
【図１１】信号処理手順を示すフローチャートである。
【図１２】第２の実施の形態における受光信号を示す略線図である。
【図１３】第２の実施の形態における符号列の生成を示す略線図である。
【図１４】信号処理手順を示すフローチャートである。
【図１５】第３の実施の形態における符号列の生成を示す略線図である。
【図１６】信号処理手順を示すフローチャートである。
【発明を実施するための形態】
【００２３】
以下、発明を実施するための形態（以下実施の形態とする）について、図面を用いて説明する。なお、説明は以下の順序で行う。
１．第１の実施の形態（マークポジション記録方式、ピークレベルを用いる例）
２．第２の実施の形態（マーク長記録方式、ピークレベルを用いる例）
３．第３の実施の形態（マーク長記録方式、ピーク期間を用いる例）
４．他の実施の形態
【００２４】
＜１．第１の実施の形態＞
［１−１．光情報再生装置の構成］
図４に示す光情報再生装置１０は、情報が記録された光情報記録媒体１００に光ビームＬ１を照射し、これに応じて得られる反射光ビームＬ２を受光して、その受光結果を基に当該光情報記録媒体１００に記録されている情報を再生するようになされている。
【００２５】
光情報記録媒体１００は、全体として略円盤状でなり、ほぼ一様な記録媒質中に光ビームが集光されることにより、２光子吸収反応等により気泡が発生し空孔でなる記録マークＲＭ（図２）が形成されるようになされている。また光情報記録媒体１００は、情報が符号化されてなる符号列に応じて、略螺旋状の仮想的なトラックに沿って気泡が配列されている。
【００２６】
光情報再生装置１０は制御部１１を中心に構成されている。制御部１１は、図示しないＣＰＵ(Central Processing Unit)と、各種プログラム等が格納されるＲＯＭ(Read Only Memory)と、当該ＣＰＵのワークエリア等として用いられるＲＡＭ(Random Access Memory)とによって構成されている。
【００２７】
制御部１１は、図示しない外部機器等から再生指示を受け付けると、駆動制御部１２を介してスピンドルモータ１５を回転駆動させ、ターンテーブル１５Ｔに装着された光情報記録媒体１００を所望の速度で回転させる。
【００２８】
また制御部１１は、駆動制御部１２を介してスレッドモータ１６を駆動させることにより、光ピックアップ２を移動軸Ｇに沿ってトラッキング方向、すなわち光情報記録媒体１００の内周側又は外周側へ向かう方向へ大きく移動させる。
【００２９】
光ピックアップ２は、図１に示したように複数の光学部品が組み込まれており、制御部１１の制御に基づきレーザ３から光ビームＬ１を出射させ、これを対物レンズ６により集光して光情報記録媒体１００へ照射するようになされている。
【００３０】
また光ピックアップ２は、光ビームＬ１が光情報記録媒体１００により反射されてなる反射光ビームＬ２を検出して検出信号Ｓを生成し、これを信号処理部１３へ供給するようになされている。この検出信号Ｓは、いわゆる再生ＲＦ信号に相当するものであり、反射光ビームＬ２の光強度に応じた信号レベルとなる。
【００３１】
信号処理部１３は、制御部１１と同様、図示しないＣＰＵ、ＲＯＭ及びＲＡＭを有しており、所定の信号処理プログラムに従って各種信号処理を行うようになされている。実際上信号処理部１３は、検出信号Ｓに対し所定の信号処理を施すことにより、記録マークＲＭとして記録されている情報を再生する（詳しくは後述する）。
【００３２】
この信号処理部１３は、上述した信号処理プログラムを実行することにより、図５に示すように、複数の機能ブロックを実現するようになされている。
【００３３】
変動検出部２１は、検出信号Ｓを基に、所定の変動パターンに適合した変動を検出し、その検出結果を符号列生成部２２へ供給する。符号列生成部２２は、変動検出部２１の検出結果に応じて符号列Ｃを順次生成し、これを復調処理部２３へ供給する。
【００３４】
復調処理部２３は、符号列Ｃに対し所定の復調化処理を施すことにより符号化データＤを生成し、これを復号化処理部２４へ供給する。復号化処理部２４は、符号化データＤに対し所定の復号化処理を施すことにより、光情報記録媒体１００に記録されている情報を再生し、これを制御部１１経由で図示しない外部機器へ送出する。
【００３５】
このように光情報再生装置１０は、光情報記録媒体１００から得られた反射光ビームＬ２の光強度に応じた検出信号Ｓを生成し、当該検出信号Ｓの変動パターンを基に符号列Ｃを生成し、最終的に情報を再生するようになされている。
【００３６】
［１−２．情報の記録方式とマークの形成］
ところで、一般に光情報記録媒体１００に情報を記録する場合、当該情報に対し所定の符号化処理や変調処理等を施すことにより、例えば値「０」又は「１」でなる２値符号に変換し、これを記録マークＲＭ（図１）の有無と対応させる。
【００３７】
ここで、２値符号による符号列を光情報記録媒体に記録する方式としては、ＲＺ（Return to Zero）符号に対応したマークポジション記録方式や、ＮＲＺＩ（Non Return to Zero Invert）符号に対応したマーク長記録方式等が知られている。
【００３８】
マークポジション記録方式では、例えば１−７変調の場合、図６（Ａ）に示すように、１〜７個連続する符号「０」と１個の符号「１」とが交互に出現する。この場合、光情報記録媒体１００には、符号「１」に対応する箇所に記録マークＲＭが形成される。
【００３９】
一方、マーク長記録方式では、同様に１−７変調の場合、図６（Ｂ）に示すように、例えば２〜８個連続する符号「０」と２〜８個連続する符号「１」とが交互に出現する。この場合にも、光情報記録媒体１００には、符号「１」に対応する箇所に記録マークＲＭが形成される。
【００４０】
具体的には、符号列「１１」、「１１１」及び「１１１１」にそれぞれ対応して、いわゆる２Ｔ、３Ｔ及び４Ｔにそれぞれ対応する長さの記録マークＲＭ２、ＲＭ３及びＲＭ４が形成される。
【００４１】
ここで、図３（Ｃ）〜（Ｆ）に示したように、比較的近接する記録マークＲＭ同士が融合した場合を想定する。マークポジション記録方式では、図６（Ａ）と対応する図７（Ａ）に示すように、符号列「１０１」における中央の符号「０」の箇所に、比較的大きな融合記録マークＦＲＭ２が形成される可能性がある。
【００４２】
またマーク長記録方式では、図６（Ｂ）と対応する図７（Ｂ）に示すように、符号列「１１」、「１１１」及び「１１１１」におけるそれぞれの中央近傍に比較的大きな融合記録マークＦＲＭ２、ＦＲＭ３及びＦＲＭ４がそれぞれ形成される可能性がある。
【００４３】
次に、光情報記録媒体１００に符号列「１１」、すなわちいわゆる２Ｔの記録マークＲＭ２を実際に繰り返し記録した場合の再生ＲＦ信号を測定したところ、図８（Ａ）に示すような測定結果が得られた。
【００４４】
これと同様に、光情報記録媒体１００に符号列「１１１」及び「１１１１」、すなわち３Ｔの記録マークＲＭ３及び４Ｔの記録マークＲＭ４をそれぞれ繰り返し記録した場合の再生ＲＦ信号を測定したところ、それぞれ図８（Ｂ）及び（Ｃ）のような測定結果が得られた。
【００４５】
ここで、図６（Ｂ）に示したような理想的な記録マークＲＭ２、ＲＭ３及びＲＭ４が光情報記録媒体１００に形成されていた場合、符号「１」の連続数が増加するに連れて、再生ＲＦ信号におけるハイレベルの区間が長くなると予想される。
【００４６】
しかしながら実際の波形（図８（Ａ）〜（Ｃ））を対比すると、符号「１」の連続数が増加するに連れて、ハイレベルの区間における時間長はそれほど大きくは変わらず、むしろピークレベルが徐々に高くなっていることがわかる。
【００４７】
このような場合、光情報記録媒体１００には、記録マークＲＭ２、ＲＭ３及びＲＭ４ではなく、融合記録マークＦＲＭ２、ＦＲＭ３及びＦＲＭ４がそれぞれ形成されていると考えられる。
【００４８】
このように光情報記録媒体１００は、比較的近接した箇所に記録マークＲＭが形成される場合、記録マークＲＭ２、ＲＭ３及びＲＭ４等に代えて融合記録マークＦＲＭ２、ＦＲＭ３及びＦＲＭ４等がそれぞれ形成される場合があることが示された。
【００４９】
このことは、再生ＲＦ信号における信号レベルに応じて直接的に符号「０」又は「１」を生成したとしても、本来の情報を正確に再生できない恐れがあることを示している。
【００５０】
［１−３．符号列の生成］
次に、光情報再生装置１０の信号処理部１３が、このような再生ＲＦ信号（すなわち受光信号Ｓ）を基に符号列Ｃを生成する様子について説明する。
【００５１】
光情報記録媒体１００は、図７（Ａ）と対応する図９（Ａ）及び（Ｂ）に示すように、マークポジション記録方式により各記録マークＲＭが形成されて情報が記録されている。また光情報記録媒体１００は、符号「１」同士の最小の間隔（いわゆる最小ラン）が「１」となされ、符号「１」同士の間に少なくとも１個以上の符号「０」が出現するようになされている。
【００５２】
ここで、光情報再生装置１０の光ピックアップ２から得られる受光信号Ｓは、図９（Ｂ）の各記録マークＲＭと対応付けて表すと、図９（Ｃ）のような信号波形となる。
【００５３】
図９（Ｃ）からわかるように、融合記録マークＦＲＭ２が形成されている場合、当該融合記録マークＦＲＭ２と対応する変動パターンＣＨは、通常の記録マークＲＭと対応する変動パターンＣＨと比較して、そのピークレベルが高くなっている。
【００５４】
そこで信号処理部１３は、図１０（Ａ）に示すように、まず変動検出部２１（図５）において、受光信号Ｓが、ＧＮＤに相当する基準信号レベルを基準とした第１信号レベルＶ１及び第２信号レベルＶ２をそれぞれ超えるか否かを判定する。
【００５５】
因みに第１信号レベルＶ１は、事前の測定結果等に基づき、通常の記録マークＲＭと対応する変動パターンＣＨのピークレベルよりも低く、且つノイズ等により生じるピークレベルよりも高い値に設定されている。また第２信号レベルＶ２も、同様に事前の測定結果等に基づき、通常の記録マークＲＭと対応する変動パターンＣＨのピークレベルよりも高く、且つ融合記録マークＦＲＭ２と対応する変動パターンＣＨのピークレベルよりも低い値に設定されている。
【００５６】
続いて変動検出部２１は、図１０（Ｃ）に示すように、受光信号Ｓが第１信号レベルＶ１を超えた区間をハイレベルとし、それ以外の区間をローレベルとした第１検出信号ＳＶ１を生成し、これを符号列生成部２２（図５）へ供給する。
【００５７】
また変動検出部２１は、図１０（Ｂ）に示すように、受光信号Ｓが第２信号レベルＶ２を超えた区間をハイレベルとし、それ以外の区間をローレベルとした第２検出信号ＳＶ２を生成し、これも符号列生成部２２へ供給する。
【００５８】
符号列生成部２２は、図１０（Ｅ）に示すように、第１検出信号ＳＶ１におけるローレベルの箇所及びハイレベルの箇所をそれぞれ値「０」及び「１」に変換することにより、第１符号列ＣＶ１を生成する。
【００５９】
また符号列生成部２２は、図１０（Ｄ）に示すように、第２検出信号ＳＶ２におけるローレベルの箇所及びハイレベルの箇所をそれぞれ値「０」及び「１」に変換することにより、第２符号列ＣＶ２を生成する。
【００６０】
因みに符号列生成部２２は、例えば第１検出信号ＳＶ１における立ち上がりエッジに同期した所定周期のクロック信号に合わせたタイミングで、第１符号列ＣＶ１及び第２符号列ＣＶ２の各符号を生成するようになされている。
【００６１】
ここで符号列生成部２２は、第１符号列ＣＶ１が値「１」であれば、原則として、この値「１」をそのまま最終的な符号とする。さらに符号列生成部２２は、第２符号列ＣＶ２が値「１」であれば、本来２個の記録マークＲＭが離れて形成されるべきところに融合記録マークＦＲＭ２が形成されているものと判断し、本来形成されるはずの２個の記録マークＲＭに応じた符号列に置き換えるようになされている。
【００６２】
すなわち符号列生成部２２は、変動パターンＣＨのピークレベルが第１信号レベルＶ１以上第２信号レベルＶ２未満であれば、当該変動パターンＣＨが通常の記録マークＲＭによるものと判断することになる。また符号列生成部２２は、変動パターンＣＨのピークレベルが第２信号レベルＶ２以上であれば、当該変動パターンＣＨが融合記録マークＦＲＭ２によるものと判断することになる。
【００６３】
具体的に符号列生成部２２は、第２符号列ＣＶ２において値「１」となった箇所（図中実線で囲んだ部分）を中心として、第１符号列ＣＶ１における連続５符号でなる符号列ＣＢ（図中破線で示す）を、図１０（Ｆ）に示す置換符号列ＣＲに置き換える。この結果符号列生成部２２は、図１０（Ｇ）に示す符号列Ｃを生成する。
【００６４】
これにより符号列生成部２２は、光情報記録媒体１００において実際には融合記録マークＦＲＭ２が形成されている箇所から、本来記録されるべき複数の記録マークＲＭに応じた符号列Ｃを生成することができる。
【００６５】
その後符号列生成部２２は、生成した符号列Ｃを復調処理部２３（図５）へ供給するようになされている。
【００６６】
［１−４．信号処理手順］
実際上、信号処理部１３は、上述した符号列の生成処理を含む一連の信号処理を、図１１の信号処理手順ＲＴ１に従って実行するようになされている。信号処理部１３は、光情報記録媒体１００の再生指示が与えられると、信号処理手順ＲＴ１を開始してステップＳＰ１へ移る。
【００６７】
ステップＳＰ１において信号処理部１３は、変動検出部２１により、検出信号Ｓを第１信号レベルＶ１及び第２信号レベルＶ２とそれぞれ比較し、その比較結果を基に第１検出信号ＳＶ１及び第２検出信号ＳＶ２（図１０（Ｃ）、（Ｂ））を生成して次のステップＳＰ２へ移る。
【００６８】
ステップＳＰ２において信号処理部１３は、符号列生成部２２により、第１検出信号ＳＶ１及び第２検出信号ＳＶ２を基に第１符号列ＣＶ１及び第２符号列ＣＶ２（図１０（Ｅ）、（Ｄ））をそれぞれ生成し、次のステップＳＰ３へ移る。
【００６９】
ステップＳＰ３において信号処理部１３は、符号列生成部２２により、第２符号列ＣＶ２の符号が値「１」であるか否かを判定する。ここで肯定結果が得られると、このことは、変動パターンＣＨにおけるピークレベルが第２信号レベルＶ２以上であり融合記録マークＦＲＭ２が形成されていると推測されることを表している。このとき信号処理部１３は、次のステップＳＰ４へ移る。
【００７０】
ステップＳＰ４において信号処理部１３は、符号列生成部２２により、第１符号列ＣＶ１における、第２符号列の値「１」と対応する部分（符号列ＣＢ）を置換符号列ＣＲ（図１０（Ｆ））と置き換える。これにより符号列生成部２２は、符号列Ｃ（図１０（Ｇ））を生成し、これを復調処理部２３へ供給して次のステップＳＰ６へ移る。
【００７１】
一方、ステップＳＰ３において否定結果が得られると、このことは融合記録マークＦＲＭ２が形成されておらず符号列を置き換える必要がないことを表しており、このとき信号処理部１３は次のステップＳＰ５へ移る。
【００７２】
ステップＳＰ５において信号処理部１３は、第１符号列ＣＶ１をそのまま符号列Ｃとして復調処理部２３へ供給し、次のステップＳＰ６へ移る。
【００７３】
ステップＳＰ６において信号処理部１３は、復調処理部２３により、符号列Ｃに所定の復号化処理を施すことにより符号化データＤを生成し、これを復号化処理部２４へ供給して次のステップＳＰ７へ移る。
【００７４】
ステップＳＰ７において信号処理部１３は、復号化処理部２４により、符号化データＤに対し所定の復号化処理を施すことにより、光情報記録媒体１００に記録されている情報を再生し、これを制御部１１へ供給する。その後信号処理部１３は、次のステップＳＰ８へ移って信号処理手順ＲＴ１を終了する。
【００７５】
因みに信号処理部１３は、信号処理手順ＲＴ１を繰り返し実行することにより、検出信号Ｓを基に情報を順次再生するようになされている。
【００７６】
［１−５．動作及び効果］
以上の構成において、光情報再生装置１０は、光情報記録媒体１００に光ビームＬ１を照射し、これに応じて当該光情報記録媒体１００から得られる反射光ビームＬ２を受光して受光信号Ｓを生成する。
【００７７】
光情報再生装置１０の信号処理部１３は、変動検出部２１において検出信号Ｓを第１信号レベルＶ１及び第２信号レベルＶ２とそれぞれ比較することにより、第１検出信号ＳＶ１及び第２検出信号ＳＶ２をそれぞれ生成する。
【００７８】
また信号処理部１３は、符号列生成部２２により、第１検出信号ＳＶ１及び第２検出信号ＳＶ２をそれぞれ第１符号列ＣＶ１及び第２符号列ＣＶ２に変換する。このとき符号列生成部２２は、第２符号列ＣＶ２が値「１」となる場合、第１符号列ＣＶ１における近傍の符号列ＣＢを置換符号列ＣＲに置き換えて符号列Ｃとする。
【００７９】
その後信号処理部１３は、復調処理部２３により符号列Ｃを基に符号化データＤを生成し、復号化処理部２４により符号化データＤを基に情報を再生する。
【００８０】
従って光情報再生装置１０は、光情報記録媒体１００内で互いに近接する２つの記録マークＲＭが融合して融合記録マークＦＲＭ２が形成されていたとしても、本来記録されるべき２つの記録マークＲＭに相当する符号列Ｃを生成することができる。
【００８１】
すなわち光情報再生装置１０は、光情報記録媒体１００に正しい記録マークＲＭが形成されていない場合でも、正しい記録マークＲＭが形成されている場合と同等の符号列Ｃを復元できるので、最終的に元の情報と同等の情報を再生することができる。
【００８２】
このとき信号処理部１３の符号列生成部２２は、第２符号列ＣＶ２における符号「１」の出現を基に、変動パターンＣＨにおけるピークレベルが第２信号レベルＶ２を超えたこと、すなわち融合記録マークＲＭ２Ｆの存在を判別することができる。
【００８３】
これを換言すれば、信号処理部１３は、通常の符号生成過程であれば、第１信号レベルＬ１に基づいた第１符号列ＣＶ１をそのまま最終的な符号列Ｃとするところ、第２信号レベルに基づいた第２符号列ＣＶ２も利用して適宜補正することにより、本来記録されるはずの符号列を得ることができる。
【００８４】
また信号処理部１３は、一般的な信号処理と比較して、「検出信号Ｓと比較すべき信号レベルＶを１個追加し、必要に応じて符号列の一部を置き換える」といった簡易な処理を追加するだけで良いため、処理負荷の増加を僅かに抑えることができる。
【００８５】
一方、光情報記録媒体１００では、マークポジション記録方式において最小ランを１とするため、符号「１」同士が連続することはない。光情報再生装置１０は、このような符号の出現規則を利用することにより、融合記録マークＦＲＭ２が形成されている箇所を、本来符号列「１０１」に対応した２個の記録マークＲＭが記録されるべき箇所であると認識することができる。これにより光情報再生装置１０は、本来記録されるはずの符号列と同等の符号列Ｃを正しく復元することができる。
【００８６】
以上の構成によれば、光情報再生装置１０は、信号処理部１３の変動検出部２１において検出信号Ｓを第１信号レベルＶ１及び第２信号レベルＶ２と対比することにより第１検出信号ＳＶ１及び第２検出信号ＳＶ２を生成する。また信号処理部１３は、符号列生成部２２により、第１検出信号ＳＶ１及び第２検出信号ＳＶ２をそれぞれ第１符号列ＣＶ１及び第２符号列ＣＶ２に変換すると共に、第２符号列ＣＶ２が値「１」となる場合には第１符号列ＣＶ１における近傍の符号列ＣＢを置換符号列ＣＲに置き換えて符号列Ｃとする。従って光情報再生装置１０は、光情報記録媒体１００に融合記録マークＦＲＭ２が形成されていたとしても、本来記録されるべき２つの記録マークＲＭに相当する符号列Ｃを生成することができる。
【００８７】
＜２．第２の実施の形態＞
［２−１．光情報再生装置の構成及び情報の記録方式］
第２の実施の形態による光情報再生装置３０（図４）は、第１の実施の形態による光情報再生装置１０と比較して、信号処理部１３に代わる信号処理部３３が設けられている点が相違するものの、他は同様に構成されている。
【００８８】
信号処理部３３（図５）は、信号処理部１３と比較して、変動検出部２１及び符号列生成部２２に代わる変動検出部４１及び符号列生成部４２が設けられている点が相違するものの、他は同様に構成されている。
【００８９】
ところで第２の実施の形態では、光情報記録媒体１００は、図６（Ｂ）と対応する図１２（Ａ）及び（Ｂ）に示すように、マーク長記録方式により各記録マークＲＭが形成されて情報が記録されている。因みに最短マーク長は「２」となっており、少なくとも２個以上の同種符号が連続して記録されるようになされている。
【００９０】
また第２の実施の形態では、図１２（Ｂ）に示したように、理想的には光情報記録媒体１００内でマーク間が分離して大きな記録マークにならないよう、各記録マークＲＭが独立して形成される。しかしながら光情報記録媒体１００には、図１２（Ｃ）に示すように、複数の記録マークＲＭが融合することにより融合記録マークＦＲＭ３やＦＲＭ４等が形成される場合がある。
【００９１】
ここで、光情報再生装置３０の光ピックアップ２から得られる受光信号Ｓは、図１２（Ｃ）の各記録マークＲＭと対応付けて表すと、図１２（Ｄ）のような信号波形となる。
【００９２】
図１２（Ｄ）からわかるように、融合記録マークＦＲＭ３と対応する変動パターンＣＨは、通常の記録マークＲＭと対応する変動パターンＣＨ（図中破線で示す）と比較して、そのピークレベルが高くなっており、またピーク部分の幅が狭まっている。
【００９３】
また融合記録マークＦＲＭ４と対応する変動パターンＣＨについても、通常の記録マークＲＭと対応する変動パターンＣＨ（図中破線で示す）と比較して、そのピークレベルが高くなっており、またピーク部分の幅（すなわち期間）が狭まっている。
【００９４】
［２−２．符号列の生成］
そこで信号処理部３３は、図１３（Ａ）に示すように、まず変動検出部４１（図５）において、受光信号Ｓが、ＧＮＤを基準とした第１信号レベルＶ１、第２信号レベルＶ２、第３信号レベルＶ３及び第４信号レベルＶ４をそれぞれ超えるか否かを判定する。
【００９５】
因みに第１信号レベルＶ１及び第２信号レベルＶ２は、いずれも第１の実施の形態と同様の値に設定されている。第３信号レベルＶ３は、事前の測定結果等に基づき、融合記録マークＦＲＭ２と対応する変動パターンＣＨのピークレベルよりも高く、且つ融合記録マークＦＲＭ３と対応する変動パターンＣＨのピークレベルよりも低い値に設定されている。同様に第４信号レベルＶ４は、事前の測定結果等に基づき、融合記録マークＦＲＭ３と対応する変動パターンＣＨのピークレベルよりも高く、且つ融合記録マークＦＲＭ４と対応する変動パターンＣＨのピークレベルよりも低い値に設定されている。
【００９６】
続いて変動検出部４１は、図１３（Ｅ）に示すように、受光信号Ｓが第１信号レベルＶ１を超えた区間をハイレベルとし、それ以外の区間をローレベルとした第１検出信号ＳＶ１を生成し、これを符号列生成部４２（図５）へ供給する。
【００９７】
また変動検出部４１は、図１３（Ｄ）に示すように、受光信号Ｓが第２信号レベルＶ２を超えた区間をハイレベルとし、それ以外の区間をローレベルとした第２検出信号ＳＶ２を生成し、これも符号列生成部４２へ供給する。
【００９８】
さらに変動検出部４１は、図１３（Ｃ）に示すように、受光信号Ｓが第３信号レベルＶ３を超えた区間をハイレベルとし、それ以外の区間をローレベルとした第３検出信号ＳＶ３を生成し、これも符号列生成部４２へ供給する。
【００９９】
さらに変動検出部４１は、図１３（Ｂ）に示すように、受光信号Ｓが第４信号レベルＶ４を超えた区間をハイレベルとし、それ以外の区間をローレベルとした第４検出信号ＳＶ４を生成し、これも符号列生成部４２へ供給する。
【０１００】
符号列生成部４２は、図１０（Ｉ）に示すように、第１検出信号ＳＶ１におけるローレベルの箇所及びハイレベルの箇所をそれぞれ値「０」及び「１」に変換することにより、第１符号列ＣＶ１を生成する。
【０１０１】
また符号列生成部４２は、図１０（Ｈ）に示すように、第２検出信号ＳＶ２におけるローレベルの箇所及びハイレベルの箇所をそれぞれ値「０」及び「１」に変換することにより、第２符号列ＣＶ２を生成する。
【０１０２】
さらに符号列生成部４２は、図１０（Ｇ）に示すように、第３検出信号ＳＶ３におけるローレベルの箇所及びハイレベルの箇所をそれぞれ値「０」及び「１」に変換することにより、第３符号列ＣＶ３を生成する。
【０１０３】
また符号列生成部４２は、図１０（Ｆ）に示すように、第４検出信号ＳＶ４におけるローレベルの箇所及びハイレベルの箇所をそれぞれ値「０」及び「１」に変換することにより、第４符号列ＣＶ４を生成する。
【０１０４】
ここで符号列生成部４２は、符号列生成部２２と同様、第１符号列ＣＶ１が値「１」であれば、原則として、この値「１」をそのまま最終的な符号とする。
【０１０５】
すなわち符号列生成部４２は、変動パターンＣＨのピークレベルが第１信号レベルＶ１以上第２信号レベルＶ２未満であれば、取り敢えず当該変動パターンＣＨが通常の記録マークＲＭによるものと判断することになる。
【０１０６】
一方符号列生成部４２は、第２符号列ＣＶ２が値「１」であれば、本来２個の記録マークＲＭが形成されるべきところに融合記録マークＦＲＭ２が形成されているものと判断し、本来形成されるはずの２個の記録マークＲＭに応じた符号列に置き換えるようになされている。
【０１０７】
すなわち符号列生成部４２は、変動パターンＣＨのピークレベルが第２信号レベルＶ２以上第３信号レベルＶ３未満であれば、当該変動パターンＣＨが融合記録マークＦＲＭ２によるものと判断することになる。
【０１０８】
また符号列生成部４２は、第３符号列ＣＶ３が値「０１０」であり、第２符号列ＣＶ２が値「１１０」又は「０１０」であれば、本来３個の記録マークＲＭが形成されるべきところに融合記録マークＦＲＭ３が形成されているものと判断する。このとき符号列生成部４２は、本来形成されるはずの３個の記録マークＲＭに応じた符号列に置き換えるようになされている。
【０１０９】
すなわち符号列生成部４２は、変動パターンＣＨのピークレベルが第３信号レベルＶ３以上第４信号レベルＶ４未満であれば、当該変動パターンＣＨが融合記録マークＦＲＭ３によるものと判断することになる。
【０１１０】
具体的に符号列生成部４２は、第３符号列ＣＶ３において値「０１０」となった箇所（図中実線で囲んだ部分）について、第１符号列ＣＶ１における連続３符号でなる符号列ＣＢ３（図中破線で示す）を、図１３（Ｊ）に示す置換符号列ＣＲ３に置き換えることにより、図１３（Ｋ）に示す符号列Ｃを生成する。
【０１１１】
さらに符号列生成部４２は、第４符号列ＣＶ４が値「０１」又は「１０」であり、第３符号列ＣＶ３が値「１１」であれば、本来４個の記録マークＲＭが形成されるべきところに融合記録マークＦＲＭ４が形成されているものと判断する。このとき符号列生成部４２は、本来形成されるはずの４個の記録マークＲＭに応じた符号列に置き換えるようになされている。
【０１１２】
すなわち符号列生成部２２は、変動パターンＣＨのピークレベルが第４信号レベルＶ４以上であれば、当該変動パターンＣＨが融合記録マークＦＲＭ４によるものと判断することになる。
【０１１３】
具体的に符号列生成部４２は、第３符号列ＣＶ３が値「１１」となった箇所（図中実線で囲んだ部分）を中心として、第１符号列ＣＶ１における連続４符号でなる符号列ＣＢ４（図中破線で示す）を、図１３（Ｊ）に示す置換符号列ＣＲ４に置き換えることにより、図１３（Ｋ）に示す符号列Ｃを生成する。
【０１１４】
これにより符号列生成部４２は、光情報記録媒体１００において実際には融合記録マークＦＲＭ３及びＦＲＭ４等が形成されている箇所から、本来記録されるべき複数の記録マークＲＭに応じた符号列Ｃを生成することができる。
【０１１５】
その後符号列生成部４２は、生成した符号列Ｃを復調処理部２３（図５）へ供給するようになされている。
【０１１６】
［２−３．信号処理手順］
実際上、信号処理部３３は、図１１の信号処理手順ＲＴ１と対応する信号処理手順ＲＴ２（図１４）に従って一連の信号処理を行うようになされている。すなわち信号処理部３３は、光情報記録媒体１００の再生指示が与えられると、信号処理手順ＲＴ２を開始してステップＳＰ２１へ移る。
【０１１７】
ステップＳＰ２１において信号処理部３３は、変動検出部４１により、検出信号Ｓを第１信号レベルＶ１〜第４信号レベルＶ４とそれぞれ比較し、その比較結果を基に第１検出信号ＳＶ１〜第４検出信号ＳＶ４（図１３（Ｅ）〜（Ｂ））をそれぞれ生成して次のステップＳＰ２２へ移る。
【０１１８】
ステップＳＰ２２において信号処理部３３は、符号列生成部４２により、第１検出信号ＳＶ１〜第４検出信号ＳＶ４を基に第１符号列ＣＶ１〜第４符号列ＣＶ４（図１３（Ｉ）〜（Ｆ））をそれぞれ生成し、次のステップＳＰ２３へ移る。
【０１１９】
ステップＳＰ２３において信号処理部３３は、符号列生成部４２により、第４符号列ＣＶ４の符号が値「１０」又は「１１」であり、且つ第３符号列ＣＶ３の符号が値「１１」であるか否かを判定する。ここで肯定結果が得られると、このことは、変動パターンＣＨにおけるピークレベルが第４信号レベルＶ４以上であり融合記録マークＦＲＭ４が形成されていると推測されることを表している。このとき信号処理部３３は、次のステップＳＰ２４へ移る。
【０１２０】
ステップＳＰ２４において信号処理部３３は、第１符号列ＣＶ１の符号列ＣＢ４を置換符号列ＣＲ４（図１３（Ｊ））と置き換えることにより符号列Ｃ（図１３（Ｋ））を生成し、これを復調処理部２３へ供給して次のステップＳＰ３０へ移る。
【０１２１】
一方ステップＳＰ２３において否定結果が得られると、このことは少なくとも融合記録マークＦＲＭ４が記録されていないことを表しており、このとき信号処理部３３は次のステップＳＰ２５へ移る。
【０１２２】
ステップＳＰ２５において信号処理部３３は、符号列生成部４２により、第３符号列ＣＶ３の符号が値「０１０」であり、且つ第２符号列ＣＶ２の符号が値「１１０」又は「０１１」であるか否かを判定する。ここで肯定結果が得られると、このことは、変動パターンＣＨにおけるピークレベルが第３信号レベルＶ３以上第４信号レベルＶ４未満であり融合記録マークＦＲＭ３が形成されていると推測されることを表している。このとき信号処理部３３は、次のステップＳＰ２６へ移る。
【０１２３】
ステップＳＰ２６において信号処理部３３は、第１符号列ＣＶ１の符号列ＣＢ３を置換符号列ＣＲ３（図１３（Ｊ））と置き換えることにより符号列Ｃ（図１３（Ｋ））を生成し、これを復調処理部２３へ供給して次のステップＳＰ３０へ移る。
【０１２４】
一方ステップＳＰ２５において否定結果が得られると、このことは少なくとも融合記録マークＦＲＭ４及びＦＲＭ３のいずれも記録されていないことを表しており、このとき信号処理部３３は次のステップＳＰ２７へ移る。
【０１２５】
ステップＳＰ２７において信号処理部３３は、符号列生成部４２により、第２符号列ＣＶ２の符号が値「１」であるか否かを判定する。ここで肯定結果が得られると、このことは、変動パターンＣＨにおけるピークレベルが第２信号レベルＶ２以上第３信号レベルＶ３未満であり融合記録マークＦＲＭ２が形成されていることを表している。このとき信号処理部１３は、次のステップＳＰ２８へ移る。
【０１２６】
ステップＳＰ２８において信号処理部３３は、第１符号列ＣＶ１の対応する符号列（図示せず）を置換符号列（図示せず）と置き換えることにより符号列Ｃを生成し、これを復調処理部２３へ供給して次のステップＳＰ３０へ移る。
【０１２７】
一方、ステップＳＰ２７において否定結果が得られると、このことは融合記録マークＦＲＭ４、ＦＲＭ３及びＦＲＭ２のいずれも形成されておらず符号列を置き換える必要がないことを表しており、このとき信号処理部３３は次のステップＳＰ２９へ移る。
【０１２８】
ステップＳＰ２９において信号処理部３３は、ステップＳＰ５（図１１）と同様、第１符号列ＣＶ１をそのまま符号列Ｃとして復調処理部２３へ供給し、次のステップＳＰ６へ移る。
【０１２９】
その後信号処理部３３は、ステップＳＰ３０〜ステップＳＰ３２において、それぞれステップＳＰ６〜ステップＳＰ８（図１１）と同様の処理を行うことにより、信号処理手順ＲＴ２を終了する。
【０１３０】
因みに信号処理部３３は、第１の実施の形態と同様に、信号処理手順ＲＴ２を繰り返し実行することにより、検出信号Ｓを基に情報を順次再生するようになされている。
【０１３１】
［２−４．動作及び効果］
以上の構成において、光情報再生装置３０は、光情報記録媒体１００に光ビームＬ１を照射し、これに応じて当該光情報記録媒体１００から得られる反射光ビームＬ２を受光して受光信号Ｓを生成する。
【０１３２】
光情報再生装置３０の信号処理部３３は、変動検出部４１において検出信号Ｓを第１信号レベルＶ１〜第４信号レベルＶ４とそれぞれ比較することにより、第１検出信号ＳＶ１〜第４検出信号ＳＶ４をそれぞれ生成する。
【０１３３】
また信号処理部３３は、符号列生成部４２により、第１検出信号ＳＶ１〜第４検出信号ＳＶ４を基に第１符号列ＣＶ１〜第４符号列ＣＶ４をそれぞれ生成する。
【０１３４】
ここで符号列生成部４２は、第４符号列ＣＶ４が値「１０」又は「０１」であり、且つ第３符号列ＣＶ３が値「１１」である場合、第１符号列ＣＶ１における近傍の符号列ＣＢ４を、４個の記録マークＲＭに相当する置換符号列ＣＲ４に置き換えて符号列Ｃとする。
【０１３５】
また符号列生成部４２は、第３符号列ＣＶ３が値「０１０」であり、且つ第２符号列ＣＶ２が値「１１０」又は「０１１」である場合、第１符号列ＣＶ１における近傍の符号列ＣＢ３を、３個の記録マークＲＭに相当する置換符号列ＣＲ３に置き換えて符号列Ｃとする。
【０１３６】
さらに符号列生成部４２は、第２符号列ＣＶ２が値「１」である場合、第１符号列ＣＶ１における近傍の符号列を、２個の記録マークＲＭに相当する置換符号列に置き換えて符号列Ｃとする。
【０１３７】
その後信号処理部３３は、復調処理部２３により符号列Ｃを基に符号化データＤを生成し、復号化処理部２４により符号化データＤを基に情報を再生する。
【０１３８】
従って光情報再生装置３０は、光情報記録媒体１００内で互いに近接する２〜４個の記録マークＲＭが融合して融合記録マークＦＲＭ２〜ＦＲＭ４が形成されていたとしても、本来記録されるべき複数の記録マークＲＭに相当する符号列Ｃを生成することができる。
【０１３９】
すなわち光情報再生装置３０は、第１の実施の形態と同様、光情報記録媒体１００に正しい記録マークＲＭが形成されていない場合でも、正しい記録マークＲＭが形成されている場合と同等の符号列Ｃを生成できるので、最終的に元の情報と同等の情報を再生することができる。
【０１４０】
特に第２の実施の形態では、光情報記録媒体１００に対しマーク長記録方式で情報が記録されるため、融合記録マークＦＲＭ２以外に融合記録マークＦＲＭ３及びＦＲＭ４も形成され得る。
【０１４１】
これに対し信号処理部３３は、変動パターンＣＨのピークレベルを４段階の第１信号レベルＶ１〜第４信号レベルＶ４とそれぞれ比較することにより、融合記録マークＦＲＭ２〜ＦＲＭ４をそれぞれ識別することができる。
【０１４２】
このとき信号処理部３３は、４段階の第１信号レベルＶ１〜第４信号レベルＶ４を適切に設定することにより、第２符号列ＣＶ２〜第４符号列ＣＶ４における符号「１」の出現パターンを基に、融合記録マークＦＲＭ２〜ＦＲＭ４をそれぞれ識別することができる。
【０１４３】
その他、光情報再生装置３０は、第１の実施の形態における光情報再生装置１０と同様の作用効果を奏し得る。
【０１４４】
以上の構成によれば、光情報再生装置３０は、信号処理部３３の変動検出部４１において検出信号Ｓを第１信号レベルＶ１〜第４信号レベルＶ４と対比することにより第１検出信号ＳＶ１〜第４検出信号ＳＶ４を生成する。また信号処理部３３は、符号列生成部４２により、第１検出信号ＳＶ１〜第４検出信号ＳＶ４をそれぞれ第１符号列ＣＶ１〜第４符号列ＣＶ４に変換する。このとき信号処理部３３は、第４符号列ＣＶ４〜第２符号列ＣＶ２に値「１」を含む所定の符号パターンを形成する場合、第１符号列ＣＶ１の符号列ＣＢを置換符号列ＣＲに置き換えて符号列Ｃとする。従って光情報再生装置３０は、光情報記録媒体１００に融合記録マークＦＲＭ２〜ＦＲＭ４が形成されていたとしても、本来記録されるべき複数の記録マークＲＭに相当する符号列Ｃを生成することができる。
【０１４５】
＜３．第３の実施の形態＞
［３−１．光情報再生装置の構成及び情報の記録方式］
第３の実施の形態による光情報再生装置５０（図４）は、第１の実施の形態による光情報再生装置１０と比較して、信号処理部１３に代わる信号処理部５３が設けられている点が相違するものの、他は同様に構成されている。
【０１４６】
信号処理部５３（図５）は、信号処理部１３と比較して、変動検出部２１及び符号列生成部２２に代わる変動検出部６１及び符号列生成部６２が設けられている点が相違するものの、他は同様に構成されている。
【０１４７】
また第３の実施の形態では、第１の実施の形態と同様、光情報記録媒体１００に対し、図６（Ａ）、図７（Ａ）等に示したように、マークポジション記録方式により各記録マークＲＭが形成されて情報が記録されている。
【０１４８】
このため光情報記録媒体１００には、図９（Ｃ）に示したように融合記録マークＦＲＭ２が形成され得る。
【０１４９】
［３−２．符号列の生成］
ところで、光情報記録媒体１００に融合記録マークＦＲＭ２が形成されている場合、通常の記録マークＲＭが記録されている場合と比較して、第１検出信号ＳＶ１（図１０（Ｃ））がハイレベルとなっている期間が長くなると考えられる。
【０１５０】
そこで第３の実施の形態では、このように第１検出信号ＳＶ１がハイレベルとなる期間を基に、融合記録マークＦＲＭ２の有無を判定するようになされている。
【０１５１】
信号処理部５３は、まず変動検出部６１（図５）において、図１５（Ａ）に示すように、受光信号ＳがＧＮＤを基準とした第１信号レベルＶ１を超えるか否かを判定する。
【０１５２】
続いて変動検出部６１は、図１５（Ｂ）に示すように、受光信号Ｓが第１信号レベルＶ１を超えた区間をハイレベルとし、それ以外の区間をローレベルとした第１検出信号ＳＶ１を生成し、これを符号列生成部６２（図５）へ供給する。
【０１５３】
符号列生成部６２は、図１５（Ｃ）に示すように、第１検出信号ＳＶ１におけるローレベルの箇所及びハイレベルの箇所をそれぞれ値「０」及び「１」に変換することにより、第１符号列ＣＶ１を生成する。
【０１５４】
これと共に符号列生成部６２は、第１検出信号ＳＶ１がハイレベルとなる箇所それぞれについて、当該第１検出信号ＳＶ１がハイレベルとなっている期間（以下これを検出期間ＴＤと呼ぶ）をそれぞれ測定する。
【０１５５】
続いて符号列生成部６２は、検出期間ＴＤを所定の基準期間ＴＳと比較し、当該検出期間ＴＤが当該基準期間ＴＳ以上であった場合、本来２個の記録マークＲＭが離れて形成されるべきところに融合記録マークＦＲＭ２が形成されているものと判断する。
【０１５６】
すなわち符号列生成部６２は、変動パターンＣＨが第１信号レベルＶ１を超える期間（すなわち検出期間ＴＤ）が基準期間ＴＳ未満であれば、当該変動パターンＣＨが通常の記録マークＲＭによるものと判断することになる。また符号列生成部６２は、変動パターンＣＨが第１信号レベルＶ１を超える期間が基準期間ＴＳ以上であれば、当該変動パターンＣＨが融合記録マークＦＲＭ２によるものと判断することになる。
【０１５７】
このとき符号列生成部６２は、第１符号列ＣＶ１において値「１」となった箇所を中心とした符号列ＣＢ（図１５（Ｃ）を、図１５（Ｄ）に示す置換符号列ＣＲに置き換えることにより、図１５（Ｅ）に示す符号列Ｃを生成する。
【０１５８】
また符号列生成部６２は、検出期間ＴＤが当該基準期間ＴＳ未満であった場合には、第１符号列ＣＶ１をそのまま符号列Ｃとする。
【０１５９】
その後符号列生成部６２は、生成した符号列Ｃを復調処理部２３（図５）へ供給するようになされている。
【０１６０】
このように信号処理部５３は、第１検出信号ＳＶ１における検出期間ＴＤを基に、融合記録マークＦＲＭ２の存在を判定し、当該融合記録マークＦＲＭ２に相当する符号列ＣＢを置換符号列ＣＲに置き換えて符号列Ｃを生成するようになされている。
【０１６１】
［３−３．信号処理手順］
実際上、信号処理部５３は、上述した符号列の生成処理を含む一連の信号処理を、図１１と対応する図１６に示す信号処理手順ＲＴ３に従って実行するようになされている。すなわち信号処理部５３は、光情報記録媒体１００の再生指示が与えられると、信号処理手順ＲＴ３を開始してステップＳＰ４１へ移る。
【０１６２】
ステップＳＰ４１において信号処理部５３は、変動検出部６１により、検出信号Ｓを第１信号レベルＶ１と比較し、その比較結果を基に第１検出信号ＳＶ１（図１５（Ｂ））を生成して次のステップＳＰ４２へ移る。
【０１６３】
ステップＳＰ４２において信号処理部５３は、符号列生成部６２により、第１検出信号ＳＶ１を基に第１符号列ＣＶ１（図１５（Ｃ））を生成し、次のステップＳＰ４３へ移る。
【０１６４】
ステップＳＰ４３において信号処理部５３は、符号生成部６２により、第１検出信号ＳＶ１がハイレベルとなる検出期間ＴＤを測定し、次のステップＳＰ４４へ移る。
【０１６５】
ステップＳＰ４４において信号処理部５３は、符号列生成部６２により、検出期間ＴＤが基準期間ＴＳ以上であるか否かを判定する。ここで肯定結果が得られると、このことは、このときの検出期間ＴＤが基準期間ＴＳ以上であり融合記録マークＦＲＭ２が形成されていると推測されることを表している。このとき信号処理部５３は、次のステップＳＰ４５へ移る。
【０１６６】
ステップＳＰ４５において信号処理部５３は、第１符号列ＣＶ１における符号「１」を中心とした符号列ＣＢを置換符号列ＣＲ（図１５（Ｄ））と置き換えることにより符号列Ｃ（図１５（Ｅ））を生成し、これを復調処理部２３へ供給して次のステップＳＰ４７へ移る。
【０１６７】
一方、ステップＳＰ４４において否定結果が得られると、このことは融合記録マークＦＲＭ２が形成されておらず符号列を置き換える必要がないことを表しており、このとき信号処理部５３は次のステップＳＰ４７へ移る。
【０１６８】
その後信号処理部５３は、ステップＳＰ４７〜ステップＳＰ４９において、それぞれステップＳＰ６〜ステップＳＰ８（図１１）と同様の処理を行うことにより、信号処理手順ＲＴ３を終了する。
【０１６９】
因みに信号処理部５３は、第１の実施の形態と同様、信号処理手順ＲＴ３を繰り返し実行することにより、検出信号Ｓを基に情報を順次再生するようになされている。
【０１７０】
［３−４．動作及び効果］
以上の構成において、光情報再生装置５０の信号処理部５３は、変動検出部６１により、検出信号Ｓを第１信号レベルＶ１と比較して第１検出信号ＳＶ１を生成する。
【０１７１】
また信号処理部５３は、符号列生成部６２により、第１検出信号ＳＶ１を第１符号列ＣＶ１に変換する。さらに符号列生成部６２は、第１検出信号ＳＶ１がハイレベルとなる検出期間ＴＤを測定し、当該検出期間ＴＤが基準期間ＴＳ以上となる場合、第１符号列ＣＶ１における近傍の符号列ＣＢを置換符号列ＣＲに置き換えて符号列Ｃとする。
【０１７２】
その後信号処理部５３は、復調処理部２３により符号列Ｃを基に符号化データＤを生成し、復号化処理部２４により符号化データＤを基に情報を再生する。
【０１７３】
従って光情報再生装置１０は、光情報記録媒体１００内で互いに近接する２つの記録マークＲＭが融合して融合記録マークＦＲＭ２が形成されていたとしても、本来記録されるべき２つの記録マークＲＭに相当する符号列Ｃを生成することができる。
【０１７４】
このとき信号処理部５３は、第１検出信号ＳＶ１における検出期間ＴＤのみから融合記録マークＦＲＭ２を識別することができる。このため信号処理部５３の変動検出部６１及び符号列生成部６２は、第１及び第２の実施の形態と異なり、１種類の第１信号レベルＬ１を用いて１種類の第１検出信号ＳＶ１を生成すれば良い。
【０１７５】
その他、光情報再生装置５０は、第１の実施の形態における光情報再生装置１０と同様の作用効果を奏し得る。
【０１７６】
以上の構成によれば、光情報再生装置５０は、信号処理部５３の変動検出部６１において検出信号Ｓを第１信号レベルＶ１と対比することにより第１検出信号ＳＶ１を生成する。また信号処理部５３は、符号列生成部６２により、第１検出信号ＳＶ１を第１符号列ＣＶ１に変換すると共に、検出期間ＴＤが基準期間ＴＳ以上となる場合、符号列ＣＢを置換符号列ＣＲに置き換えて符号列Ｃとする。従って光情報再生装置５０は、光情報記録媒体１００に融合記録マークＦＲＭ２が形成されていたとしても、本来記録されるべき２つの記録マークＲＭに相当する符号列Ｃを生成することができる。
【０１７７】
＜４．他の実施の形態＞
なお上述した第１の実施の形態においては、光情報記録媒体１００に対し、最小ランを「１」とした符号列がマークポジション記録方式により記録される場合について述べた。また第２の実施の形態では、最短マーク長を「２」とした符号列がマーク長記録方式により記録される場合について述べた。
【０１７８】
本発明はこれに限らず、光情報記録媒体１００に対し、任意の最小ランでなる符号列がマークポジション記録方式により記録される場合や、任意の最短マーク長でなる符号列がマーク長記録方式により記録される場合に適用しても良い。
【０１７９】
この場合、出現し得る符号列のパターンと形成され得る融合記録マークＦＲＭ２等との対応関係を基に、当該融合記録マークＦＲＭ２等が形成されていると判断した場合に、該当する符号列ＣＢを、当該融合記録マークＦＲＭ２等と対応する置換符号列ＣＲに適宜置き換えれば良い。
【０１８０】
また上述した第２の実施の形態においては、２〜４個の記録マークＦＲＭが融合して融合記録マークＦＲＭ２〜ＦＲＭ４が形成される可能性がある場合に、４段階の信号レベルＶを設定し、４種類の符号列ＣＶを基に融合記録マークＦＲＭの有無を判断する場合について述べた。
【０１８１】
本発明はこれに限らず、形成され得る融合記録マークＦＲＭの種類数に応じた段階数の信号レベルＶを設定し、当該段階数に応じた数の符号列ＣＶを基に各融合記録マークＦＲＭの有無を判断するようにしても良い。この場合、融合記録マークＦＲＭの種類に応じて相違するピークレベルに応じて各信号レベルＶを適宜設定すれば良い。
【０１８２】
これを一般化すると、次のように表すことができる。すなわち、光情報記録媒体１００に対し情報が最大符号長をｎ（ただしｎは２以上の自然数）とする２値符号化されてマーク長記録方式により記録されたとする。変動検出部４１は、変動パターンＣＨのピークレベルと、第１信号レベル及び第ｋ信号レベル（ただしｋは２≦ｋ≦ｎを満たす全ての自然数）とをそれぞれ比較して、第１検出信号ＳＶ１及び第ｋ検出信号ＳＶｋをそれぞれ生成する。
【０１８３】
これに応じて符号列生成部４２は、第１検出信号ＳＶ１及び第ｋ検出信号ＳＶｋから第１符号列ＣＶ１及び第ｋ符号列ＣＶｋをそれぞれ生成する。また符号列生成部４２は、第１符号列ＣＶ１及び第ｋ符号列ＣＶｋの符号パターンから、変動パターンＣＨのピークレベルが第１信号レベルＶ１を超え第２信号レベルＶ２を超えない場合には、当該変動パターンＣＨを１個の記録マークＲＭに応じた符号「１」とする第１符号列ＣＶ１を生成する。さらに符号列生成部４２は、（３≦ｋ≦ｎ）を満たす自然数ｋについて、ピークレベルが第（ｋ−１）信号レベルＶ（ｋ−１）を超え第ｋ信号レベルＶｋを超えない場合には、第１符号列ＣＶ１のうち当該変動パターンＣＨに相当する部分を第（ｋ−１）信号レベルＶ（ｋ−１）に応じた融合記録マークＦＲＭに相当する置換符号列ＣＲに置換する。また符号列生成部４２は、ピークレベルが第ｎ信号レベルＶｎを超える場合には、第１符号列ＣＶ１のうち当該変動パターンＣＨに相当する部分を第ｎ信号レベルに応じた融合記録マークＦＲＭに相当する置換符号列ＣＲに置換する。
【０１８４】
さらに上述した第１の実施の形態においては、第２符号列ＣＶ２における符号の出現パターンを基に、具体的には値「１」であるときに、融合記録マークＦＲＭが形成されていると判断する場合について述べた。
【０１８５】
本発明はこれに限らず、例えば第２検出信号ＳＶ２を基に融合記録マークＦＲＭが形成されていると判断するようにしても良い。要は、検出信号Ｓにおける変動パターンＣＨのピークレベルが第２信号レベルＬ２を超えたことを判別し、その判別結果から融合記録マークＦＲＭが形成されていると判断できれば良い。
【０１８６】
さらに上述した第２の実施の形態では、第４符号列ＣＶ４が値「１０」又は「０１」であり、且つ第３符号列ＣＶ３が値「１１」である場合に融合記録マークＦＲＭ４が形成されていると判断した。また、第３符号列ＣＶ３が値「０１０」であり、且つ第２符号列ＣＶ２が値「１１０」又は「０１１」である場合に、融合記録マークＦＲＭ３が形成されていると判断した。
【０１８７】
本発明はこれに限らず、他の任意の符号列の組み合わせを基に、各融合記録マークＦＲＭが形成されていることを判断するようにしても良い。
【０１８８】
さらに上述した第３の実施の形態では、検出信号Ｓがハイレベルとなる期間（検出期間ＴＤ）を基準期間ＴＳと比較し、その比較結果を基に、検出信号Ｓの変動パターンＣＨが通常の記録マークＲＭ又は融合記録マークＦＲＭのいずれによるものかを判断する場合について述べた。
【０１８９】
本発明はこれに限らず、例えば検出期間ＴＤを２種類の基準期間ＴＳ１及びＴＳ２と比較し、その比較結果を基に、検出信号Ｓの変動パターンＣＨが通常の記録マークＲＭ、融合記録マークＦＲＭ２又は融合記録マークＦＲＭ３のいずれによるものかを判断する等、当該検出期間ＴＤを複数種類の融合記録マークＦＲＭと対応させるようにしても良い。
【０１９０】
さらに上述した第１及び第２の実施の形態においては、検出信号Ｓに現れる変動パターンＣＨのピークレベルに応じて融合記録マークＦＲＭの有無を判断する場合について述べた。また第３の実施の形態では、検出信号Ｓがハイレベルとなる期間（検出期間ＴＤ）を基に融合記録マークＦＲＭの有無を判断する場合について述べた。
【０１９１】
本発明はこれに限らず、例えば検出信号Ｓに現れる変動パターンＣＨのピークレベルと、検出信号Ｓが所定の信号レベルを超える期間とを組み合わせて融合記録マークＦＲＭの有無を判断するようにしても良い。要は、変動パターンＣＨの大きさに応じて融合記録マークＦＲＭの有無及び種類を判断できれば良い。これにより、融合記録マークＦＲＭの有無の判断精度を高めることができる。
【０１９２】
さらに上述した第１の実施の形態においては、光情報再生装置１０が略円盤状でなる光情報記録媒体１００から情報を再生する場合について述べた。本発明はこれに限らず、光情報再生装置１０が例えば略直方体状等の種々の形状でなる光情報記録媒体から情報を再生するようにしても良い。この場合、要は光情報記録媒体１００内の仮想的なトラックに沿って空孔でなる記録マークＲＭが形成されていれば良く、光情報再生装置１０が光ビームＬ１の焦点を当該トラックに沿って移動させ得れば良い。第２及び第３の実施の形態についても同様である。
【０１９３】
さらに上述した第１の実施の形態においては、光情報再生装置１０が光情報記録媒体１００から情報の再生のみを行う場合について述べた。本発明はこれに限らず、当該光情報再生装置１０が当該光情報記録媒体１００に情報の記録も行うように、すなわち光情報記録再生装置とするようにしても良い。第２及び第３の実施の形態についても同様である。
【０１９４】
さらに上述した実施の形態においては、光情報記録媒体１００内に２光子吸収反応により気泡でなる記録マークＲＭが形成される場合について述べた。本発明はこれに限らず、光情報記録媒体１００内に他の種々の手法により空孔でなる記録マークＲＭが形成されるようにしても良い。要は、空孔でなる記録マークＲＭの形成時に複数の空孔が融合して融合記録マークＦＲＭが形成され得る場合に本発明を適用することができる。
【０１９５】
さらに上述した第１の実施の形態においては、信号処理部１３において符号列Ｃを基に符号化データ列Ｄを生成し、さらに情報を再生するようにした場合について述べた。本発明はこれに限らず、例えば符号化データ列Ｄや符号列Ｃを外部の復号化装置等へ供給する等、信号処理部１３が最終的な情報の再生までは行わないようにしても良い。第２及び第３の実施の形態についても同様である。
【０１９６】
さらに上述した第１の実施の形態においては、光情報記録媒体１００に記録マークＲＭがなく検出信号Ｓの信号レベルが比較的低いときに符号「０」とし、記録マークＲＭがあり検出信号Ｓの信号レベルが比較的高いときに符号「１」とする場合について述べた。
【０１９７】
本発明はこれに限らず、例えばこれと反対に、記録マークＲＭがなく検出信号Ｓの信号レベルＶが比較的低いときに符号「１」とし、記録マークＲＭがあり検出信号Ｓの信号レベルＶが比較的高いときに符号「０」とするようにしても良い。
【０１９８】
さらに上述した実施の形態においては、照射部としてのレーザ３及び対物レンズ６と、受光部としての受光素子８と、検出部としての変動検出部２１と、符号列生成部としての符号列生成部２２とによって光情報再生装置としての光情報再生装置１０を構成する場合について述べた。
【０１９９】
しかしながら本発明はこれに限らず、その他種々の構成でなる照射部と、受光部と、検出部と、符号列生成部とによって光情報再生装置を構成するようにしても良い。
【産業上の利用可能性】
【０２００】
本発明は、光ディスクから映像や音声或いは種々のデータ等の情報を再生する光ディスク装置でも利用できる。
【符号の説明】
【０２０１】
２……ピックアップ、３……レーザ、６……対物レンズ、８……受光素子、１０、３０、５０……光情報再生装置、１１……制御部、１２……駆動制御部、１３、３３、５３……信号処理部、２１、４１、６１……変動検出部、２２、４２、６２……符号列生成部、２３……復調処理部、２４……復号化処理部、１００……光情報記録媒体、ＲＭ……記録マーク、ＦＲＭ、ＦＲＭ２、ＦＲＭ３、ＦＲＭ４……融合記録マーク、Ｓ……検出信号、Ｖ１……第１信号レベル、Ｖ２……第２信号レベル、Ｖ３……第３信号レベル、Ｖ４……第４信号レベル、ＳＶ１……第１検出信号、ＳＶ２……第２検出信号、ＳＶ３……第３検出信号、ＳＶ４……第４検出信号、ＣＶ１……第１符号列、ＣＶ２……第２符号列、ＣＶ３……第３符号列、ＣＶ４……第４符号列、ＣＲ、ＣＲ３、ＣＲ４……置換符号列、Ｃ……符号列。
【図１】
2011003245.tif 000003
【図２】
2011003245.tif 000004
【図３】
2011003245.tif 000005
【図４】
2011003245.tif 000006
【図５】
2011003245.tif 000007
【図６】
2011003245.tif 000008
【図７】
2011003245.tif 000009
【図８】
2011003245.tif 000010
【図９】
2011003245.tif 000011
【図１０】
2011003245.tif 000012
【図１１】
2011003245.tif 000013
【図１２】
2011003245.tif 000014
【図１３】
2011003245.tif 000015
【図１４】
2011003245.tif 000016
【図１５】
2011003245.tif 000017
【図１６】
2011003245.tif 000018